(57)【特許請求の範囲】
【請求項１】
テープに磁気記録されたＦＭキャリア信号を回転シリンダに取り付けられた第１のヘッドと第２のヘッドでトレースし、ヘッドスイッチングパルスで前記第１のヘッド出力系と前記第２のヘッドの出力系とをスイッチ回路で選択的に切り換えて復調回路の入力に接続して復調するテープレコーダにおいて、
前記復調回路の出力側に、前記ヘッドスイッチングパルスでホールド開始が指示されホールド開始から規定時間にわたって前記ホールド開始のタイミングの信号レベルを保持して出力し前記規定時間の経過後は入力信号を出力するスイッチングノイズ補正回路を設け、
前記復調回路の入力側に設けられた前記スイッチ回路には、前記ヘッドスイッチングパルスを前記規定時間内の遅延時間だけディレー回路で遅延して供給して切り換えを指示するように構成した
ノイズ低減回路。
【発明の詳細な説明】
【０００１】
【発明の属する技術分野】
本発明はＨｉＦｉ−ＶＴＲなどの再生時の音声信号処理におけるノイズ低減回路に関するものである。
【０００２】
【従来の技術】
この種のＶＴＲの音声信号処理は、テープに磁気記録されたＦＭキャリア信号を回転シリンダに取り付けられた第１のヘッドと第２のヘッドでトレースし、ヘッドスイッチングパルスで前記第１のヘッド出力系と前記第２のヘッドの出力系とをスイッチ回路で選択的に切り換えて復調回路の入力に接続して復調するよう構成されている。
【０００３】
近年、ＶＴＲ機器ではさらなる低ノイズ化の要望が強くなってきている。以下に、ＨｉＦｉ−ＶＴＲ再生時の音声信号処理における従来のノイズ低減回路を具体的に説明する。
【０００４】
図３は従来のノイズ低減回路の構成図であり、１は前記第１のヘッドでトレースされたＦＭキャリア信号を増幅する第１のヘッドアンプ回路、２は前記第２のヘッドでトレースされたＦＭキャリア信号を増幅する第２のヘッドアンプ回路、３は第１,第２のヘッドアンプ回路１,２の出力を選択的に切り換えて出力するスイッチ回路である。スイッチ回路３の出力はバンド・パス・フィルタ回路４を介して復調回路５へ入力されている。
【０００５】
なお、スイッチ回路３は、ヘッドスイッチングパルス７で切り換えられる。スイッチ回路３の切り換えに伴って発生するノイズ成分の後段への出力を低減することを目的として復調回路５の出力には、スイッチングノイズ補正回路６が設けられており、この動作もヘッドスイッチングパルス７で制御されている。
【０００６】
スイッチングノイズ補正回路６は、ヘッドスイッチングパルス７でホールド開始が指示されホールド開始から規定時間にわたって前記ホールド開始のタイミングの信号レベルを保持して出力し前記規定時間の経過後は入力信号を出力する。これを図４に基づいて説明する。
【０００７】
図４（ａ）は前記第１のヘッドでトレースされたＦＭキャリア信号（ＣＨ−Ａ）出力を示し、（ｂ）は前記第２のヘッドでトレースされたＦＭキャリア信号（ＣＨ−Ｂ）出力を示す。（ｃ）はヘッドスイッチングパルス７を示している。ヘッドスイッチングパルス７のタイミングにあわせて、スイッチ回路３を切り換えることによって、バンド・パス・フィルタ回路４を介して、復調回路５によって復調する。
【０００８】
この時、磁気テープの形状変化などにより前記（ａ），（ｂ）出力をスイッチ回路３で切り換える時に、ＦＭキャリア信号の位相がずれているとスイッチングノイズと呼ばれる大きなショック音が発生する。具体的には、復調回路５の出力に図４（ｅ）に示すようにスイッチ回路３の切り換え時点においてショック音が出力される。
【０００９】
そこで、スイッチングノイズ補正回路６はヘッドスイッチングパルス７のタイミングにあわせて、ホールド開始が指示されホ−ルド開始から規定時間にわたって前記ホールド開始のタイミングの信号レベルをホールド期間（１５〜２０μｓ）保持して図４（ｆ）に示すように出力し、ショック音を低減している。
【００１０】
【発明が解決しようとする課題】
このような、従来のノイズ低減回路では、スイッチングノイズ補正回路でホールドをかけてショック音を低減できるものの、スイッチ切り換えと同期時点でホールドが開始されるので大ノイズに対して、そのノイズ低減の効果が不充分であった。
【００１１】
本発明は、従来よりもショック音の低減効果の優れたノイズ低減回路を提供することを目的とする。
【００１２】
【課題を解決するための手段】
本発明のノイズ低減回路は、テープに磁気記録されたＦＭキャリア信号を回転シリンダに取り付けられた第１のヘッドと第２のヘッドでトレースし、ヘッドスイッチングパルスで前記第１のヘッド出力系と前記第２のヘッドの出力系とをスイッチ回路で選択的に切り換えて復調回路の入力に接続して復調するテープレコーダにおいて、前記復調回路の出力側に、前記ヘッドスイッチングパルスでホールド開始が指示されホールド開始から規定時間にわたって前記ホールド開始のタイミングの信号レベルを保持して出力し前記規定時間の経過後は入力信号を出力するスイッチングノイズ補正回路を設け、前記復調回路の入力側に設けられた前記スイッチ回路には、前記スイッチングパルスを前記規定時間内の遅延時間だけディレー回路で遅延して供給して切り換えを指示するように構成したことを特徴とする。
【００１３】
【発明の実施の形態】
以下、本発明の実施の形態を図１と図２に基づいて説明する。
なお、従来例を示す図３と同様の作用をなすものには同一の符号を付けて説明する。
【００１４】
図１は本発明のノイズ低減回路を示す。
従来例を示す図３とは、ディレー回路８を介してヘッドスイッチングパルス７をスイッチ回路３に切り換え指示信号として供給している点だけが異なっている。図２に基づいて図１の構成を詳細に説明する。
【００１５】
図２（ａ）は前記第１のヘッドでトレースされたＦＭキャリア信号（ＣＨ−Ａ）出力を示し、（ｂ）は前記第２のヘッドでトレースされたＦＭキャリア信号（ＣＨ−Ｂ）出力を示す。（ｃ）はヘッドスイッチングパルス７を示している。スイッチングノイズ補正回路６がヘッドスイッチングパルス７で図２（ｇ）に示すようにホールド開始が指示されるのに対して、スイッチ回路３はヘッドスイッチングパルス７をディレー回路８で図２（ｄ）示すように７〜８μｓ遅延した信号で指示されて図２（ｅ）に示すように信号を切り換える。図２（ｇ）に示すスイッチングノイズ補正回路６の出力と、図２（ｅ）に示すスイッチ回路３の出力とを比較してわかるように、スイッチングノイズ補正回路６はスイッチ回路３が切り換えを実行するよりも前記遅延時間だけ先行してホールドを開始している。
【００１６】
そのため、前記ＦＭキャリア信号の位相ずれのないポイントＰ１のレベルが、ヘッドスイッチングパルス７のタイミングＴ１からホールド期間（１５〜２０μｓ）にわたってホールドして出力されている。図２（ｅ）と図２（ｆ）を見て分かるように、スイッチ回路３の切り換えのタイミングは前記タイミングＴ１からホールド期間（１５〜２０μＳ）内のセンター近傍の７〜８μＳのタイミングＴ２で実行されるので、前記ＦＭキャリア信号の位相ずれが生じても、その時の、復調回路５の出力のショックノイズＮは、スイッチングノイズ補正回路６の出力には発生しない。スイッチングノイズ補正回路６は、ショックノイズＮが無くなった後に前記ホールド動作を解除して、時々の入力信号を後段へ出力する状態になる。
【００１７】
【発明の効果】
以上のように本発明によると、復調回路の入力側に設けられたスイッチ回路の切り換えのタイミングを、前記復調回路の出力側に設けられたスイッチングノイズ補正回路のホールド開始のタイミングよりもディレー回路の遅延時間だけ遅らせたので、スイッチ回路の切り換え時点においてＦＭキャリア信号のずれが発生したとしても、そのショックノイズがスイッチングノイズ補正回路の出力に発生する事態を回避することができ、従来よりもショック音の低減効果の優れたノイズ低減回路を実現できる。
【図面の簡単な説明】
【図１】本発明のノイズ低減回路の構成図
【図２】本発明のノイズ低減回路のタイミングチャート図
【図３】従来のノイズ低減回路の構成図
【図４】従来のノイズ低減回路のタイミングチャート図
【符号の説明】
１    第１のヘッドアンプ回路
２    第２のヘッドアンプ回路
３    スイッチ回路
４    バンド・パス・フィルタ回路
５    復調回路
６    スイッチングノイズ補正回路
７    ヘッドスイッチングパルス
８    ディレー回路
【図１】
0003818818.tif 000002
【図２】
0003818818.tif 000003
【図３】
0003818818.tif 000004
【図４】
0003818818.tif 000005